(57)【要約】      （修正有）【課題】地震が発生した時、引出しが飛び出さない様に、素早くロックすること、他ロック装置の破損の防止、また、低価格で製造できる耐震引出しロック装置を提供する。【解決手段】耐震ロック装置部品取付板１と耐震ロック装置カバーとの内側の下部にセンターピン付リング走行板７を、上部にはＣ型揺動板８をＣ型揺動板揺動基点ピン６を支点として揺動自在に設置する。Ｃ型揺動板の下部のＣ型揺動板ロック部１５とＣ型揺動板重量部９との間の、センターピン付リング走行板上て自在に転がり、移動当接して、Ｃ型揺動板を揺動させ、引出し側に取り付けられた多溝付ストッパー板にロックする。【選択図】図１
0003175148.tif 000002
【実用新案登録請求の範囲】
【請求項１】
〔符号１０センターピン付リング〕は両面中心部にピン等が突出していることにより、リングが転がり走行に（ケース側面の抵抗を少なくして）素早く走行することを特徴とする。
【請求項２】
〔符号８Ｃ型揺動板〕は、〔符号６Ｃ型揺動板基点ピン〕を中心に〔符号１５Ｃ型揺動板ロック部〕の（反対側に重量を置くことにより）、〔符号８Ｃ型揺動板〕の揺動停止時に、〔符号９Ｃ型揺動板重量部〕が降下しロック解除し、平常時にはこの状態を維持することを特徴とする。
【請求項３】
〔符号８Ｃ型揺動板〕は、形状をＣ型とし、〔符号２０揺動基点孔〕外枠を中間位置に有し、〔Ｃ型耐震引出しロック装置〕内上部に〔符号６Ｃ型揺動板基点ピン〕を中心に設置し、揺動することにより、（振子状の効果）があることを特徴とする。
【請求項４】
〔符号１５Ｃ型揺動板ロック部〕は〔Ｃ型耐震引出しロック装置〕ケース外部に位置し、地震時に揺動し、〔符号Ｇ引出し〕側に取り付けられた、〔符号１６多溝付ストッパー板〕に挿入ロックされることを特徴とする。
【請求項５】
〔符号８Ｃ型揺動板〕は、〔符号６Ｃ型揺動板基点ピン〕を中心に回転して、下方に降下ロックされ、〔符号Ｇ引出し〕が飛び出す方向に取り付けることにより、（深く食い込みロックすること）を特徴とする。
【請求項６】
〔符号７センターピン付リング走行板〕は、〔符号８Ｃ型揺動板〕が、常に〔符号１０センターピン付リング〕が左右一方向に転がらない様、水平に設置することにより、〔符号Ｇ引出し〕の動きに（素早く対応すること）を特徴とする。
【請求項７】
地震停止時に、〔符号Ｇ引出し〕がロック状態であっても、〔符号Ｇ引出し〕を元の位置に押し戻すことにより、〔符号Ｇ引出し〕に取り付けられている〔符号１６多溝付ストッパー板〕の、〔符号１７多溝付ストッパ山部〕が、〔符号１５Ｃ型揺動板ロック部〕を開き、手前の〔符号１７多溝付ストッパ山部〕で、〔符号１５Ｃ型揺動板ロック部〕を押し、〔符号９Ｃ型揺動板重量部〕が反転、降下して、ロック部が解除されることを特徴とする。
【請求項８】
〔Ｃ型耐震引出しロック装置〕は、地震時には、〔図１〕に示す様に、〔符号７センターピン付リング走行板〕上を、〔符号１０センターピン付リング〕が走行し、〔符号９Ｃ型揺動板重量部〕を押し上げ、〔符号１５Ｃ型揺動板ロック部〕が降下し、〔符号１６多溝付ストッパー板〕に挿入、ロックすることを基本とする。また、形状他、取付方法等を自由に設定できることを特徴とする。
【考案の詳細な説明】
【技術分野】
【０００１】本〔Ｃ型耐震引出しロック装置〕は、地震時の揺れに〔符号Ｇ引出し〕が飛び出さない様にブロックする、〔符号Ｅキャビネット〕側と〔符号Ｇ引出し〕側に取り付けられた装置である。
【背景技術】
【０００２】現在使用されている引出しロック装置は、多く樹脂で製作されており、大きな揺れなどで破損するなど、様々なトラブルが発生する為、装置の堅固化他、揺れに素早く対応することが重要である。近年の引出しは、動きが滑らかで飛び出しやすく、素早くロックしなければならない。
【考案の概要】
【考案が解決しようとする課題】
【０００３】引出しロック装置の堅固化、また、地震の揺れに素早く対応することと、簡単な構造で低価格、取り付けコストの低減など解決すること。
【課題を解決するための手段】
【０００４】引出しロック装置を堅固にする為、全部品を金属で製作し、小型化と、部品数を少なくして簡単な構造とした。また、地震の揺れに即対応する為、多くの実験を重ねた結果、装置の作動に最適である〔符号１０センターピン付リング〕と、〔符号８Ｃ型揺動板〕の採用により解決した。【０００５】〔図１〕に示す様に、〔符号１耐震ロック装置部品取付板〕に取り付けられた〔符号６Ｃ型揺動基点ピン〕に、〔符号２０Ｃ型揺動板基点孔〕部を挿入し、揺動自在になる様に組み込み、〔符号１５Ｃ型揺動板ロック部〕が、〔符号３Ｃ型揺動板外部出口〕に常に位置する様に組み込まれる。【０００６】〔符号１耐震ロック装置部品取付板〕に、〔符号７センターピン付リング走行板〕が設置され、〔符号７センターピン付リング走行板〕上に、〔符号１０センターピン付リング〕が自在に走行できる様に組み込まれ、〔符号１耐震ロック装置部品取付板〕に組み込まれた部品を、〔符号１２耐震ロック装置カバー〕で囲まれ、その間を〔符号１０センターピン付リング〕が地震の揺れ方向に走行する。【０００７】この〔Ｃ型耐震引出しロック装置〕は、〔図６〕の様に、〔符号Ｂキャビネット側板〕に取り付けられる。一方、〔符号Ｇ引出し〕後部横に、〔符号１６多溝付ストッパー板〕を取付けることにより、〔図１０〕の様に、〔符号１０センターピン付リング〕が矢印の様に走行して、〔符号８揺動板〕を押し上げ、さらに、〔符号８揺動板〕が、〔符号６Ｃ型揺動基点ピン〕を軸に回転、〔図１０〕の様に、〔符号１５Ｃ型揺動板ロック部〕が降下することにより、〔符号１５揺動板ロック部〕は、〔図１１〕の様に、〔符号１６多溝付ストッパー板〕に挿入、ロックされ解決する。
【考案の効果】
【０００８】耐震装置部品を、全金属で製作することにより、製品の小型化、及び低価格で堅固な製品となり、破損等を少なくすることができる。また、地震での火災等による有毒ガスの発生も無く、リサイクルできる金属製であり、エコ製品である。
【図面の簡単な説明】
【０００９】
【図１】本装置の符号１２耐震ロック装置カバーを外した正面図
【図２】本装置右横より見た断面図
【図３】符号１２耐震ロック装置カバー内部正面図
【図４】符号１６多溝付ストッパー板正面図
【図５】符号ＦＣ型耐震引出しロック装置部品の斜視図
【図６】符号ＦＣ型耐震引出しロック装置を取り付けた上面より見た断面図
【図７】符号ＦＣ型耐震引出しロック装置を右から見た断面図
【図８】符号ＦＣ型耐震引出しロック装置内部の符号１０センターピン付リングと、符号１５揺動板ロック部の位置を示す。
【図９】符号ＦＣ型耐震引出しロック装置裏側の符号１５揺動板ロック部と、符号１６多溝付ストッパーの位置を示す。
【図１０】符号ＦＣ型耐震引出しロック装置内部の、符号１０センターピン付リングが矢印方向に走行して、符号８Ｃ型揺動板を押し上げた図。
【図１１】符号ＦＣ型耐震引出しロック装置裏側の、符号１６多溝付ストッパー板に、符号１５揺動板ロック部が挿入された図
【図１２】符号Ｅキャビネット内部に、符号Ｇ引出しに符号ＦＣ型耐震引出しロック装置を取り付けた状態を示す。
【図１３】符号Ｇ引出しに、符号１６多溝付ストッパー板を取り付けた状態を示す。
【考案を実施する為の形態】
【００１０】本〔Ｃ型耐震引出しロック装置〕は、〔符号Ｂキャビネット側板〕に取り付けることができるが、〔符号Ｂキャビネット側板〕と、〔符号Ｇ引出し〕の隙間に取付けることもできる。
今回の説明は、木製キャビネット用として、〔図６〕の様に、〔符号Ｂキャビネット側板〕に埋め込まれる。
【００１１】一方、〔符号Ｇ引出し〕側には、〔図７〕の様に、〔符号１６多溝付ストッパー板〕を、〔Ｃ型耐震引出しロック装置〕に、ロック部が合う様に取付ける。なお、正常時には、〔符号Ｇ引出し〕の出し入れ自在になる様取付ける。
【００１２】〔Ｃ型耐震引出しロック装置〕内部〔図８〕に示される様に、〔符号１０センターピン付リング〕が、正常時には矢印方向に走行し、〔符号１５揺動板ロック部〕を押し上げているか、中間に止まっているかである。〔図８〕は、ロック部が解除された状態を示す。
【００１３】〔図１０〕の様に、〔符号１０センターピン付リング〕が矢印揺れ方向に走行し、〔符号９揺動加重部〕を押し上げ、〔符号６揺動基点ピン〕を軸に回転、〔符号１５揺動板ロック部〕が〔図１１〕の様に、〔符号１６多溝付ストッパー板〕溝部に挿入され、〔符号１７多溝付ストッパー山部〕に引っ掛かり、〔符号Ｇ引出し〕が飛び出さない様にロックすることで解決した。
【実施例】
【００１４】〔図１２〕〔図１３〕が示す様に、〔符号Ｅキャビネット〕の〔符号Ｂキャビネット側板〕に〔符号ＦＣ型耐震引出しロック装置〕を〔符号Ｇ引出し〕横面に取り付け、出し入れ自在になる様、また、揺動時にはロックする様に、取り付け位置を調整することにより、大小様々な揺れに対応する実験で解決した。
【産業上の利用可能性】
【００１５】〔Ｃ型耐震引出しロック装置〕の全金属化製作による強度の向上の他、部品数を極力少なくし、小型化を進め、低価格を実現した。また、構造が簡単な為、故障も少なく、取り付けも簡単など、有利に販売することができると思われる。
【符号の説明】
【００１６】符号  Ｃ型耐震引出しロック装置部品名
１  耐震ロック装置部品取付板
２  耐震ロック装置カバー取付ガイド
３  Ｃ型揺動板ロック部突出し孔
４  耐震引出しロック装置取付孔
５  ロック装置取付部外部出口
６  Ｃ型揺動板揺動基点ピン
７  センターピン付リング走行板
８  Ｃ型揺動板
９  Ｃ型揺動板重量部
１０  センターピン付リング
１１  リングセンターピン
１２  耐震ロック装置カバー
１３  カバー側揺動基点ピン孔
１４  ロック装置取付部、カバー逃げ
１５  Ｃ型揺動板ロック部
１６  多溝付ストッパー板
１７  多溝付ストッパー山部
１８  引出し側ストッパー取付孔
１９  Ｃ型耐震ロック装置取付板揺動ピン取付孔
２０  Ｃ型揺動板基点孔
Ａ  キャビネット後部
Ｂ  キャビネット側板
Ｃ  引出し後部
Ｄ  引出し車輪
Ｅ  キャビネット
Ｆ  Ｃ型耐震引出しロック装置
Ｇ  引出し
【図１】
0003175148.tif 000003
【図２】
0003175148.tif 000004
【図３】
0003175148.tif 000005
【図４】
0003175148.tif 000006
【図５】
0003175148.tif 000007
【図６】
0003175148.tif 000008
【図７】
0003175148.tif 000009
【図８】
0003175148.tif 000010
【図９】
0003175148.tif 000011
【図１０】
0003175148.tif 000012
【図１１】
0003175148.tif 000013
【図１２】
0003175148.tif 000014
【図１３】
0003175148.tif 000015
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
耐震ロック装置部品取付板と耐震ロック装置カバーとの内側の下部にセンターピン付リング走行板を、上部にはＣ型揺動板をＣ型揺動板揺動基点ピンを支点として揺動自在に設置し、Ｃ型揺動板の下部のＣ型揺動板ロック部とＣ型揺動板重量部との間の、センターピン付リング走行板上て自在に転がり、移動当接して、Ｃ型揺動板を揺動させ、引出し側に取り付けられた多溝付ストッパー板にロックすることを特徴とするＣ型耐震引出しロック装置。
【請求項２】
センターピン付リングは、両面中心部にピン等が突出していることにより、リング転がり走行時に、ケース側面の抵抗を少なくして、素早く走行することを特徴とする請求項１記載のＣ型耐震引出しロック装置。
【請求項３】
Ｃ型揺動板は、Ｃ型形状の中間位置に、Ｃ型揺動板基点孔を有し、片側端部には、Ｃ型揺動板ロック部、反対側端部には、Ｃ型揺動板重量部を有することを特徴とする請求項１記載のＣ型耐震引出しロック装置。
【請求項４】
Ｃ型揺動板は、Ｃ型揺動板ロック部と反対側に、ロック部より重量の大きいＣ型揺動板重量部があることを特徴とする請求項１記載のＣ型耐震引出しロック装置。
【請求項５】
Ｃ型揺動板は、Ｃ型揺動板基点孔を中心として、振子状に揺動できるＣ型であることを特徴とする請求項１記載のＣ型耐震引出しロック装置。
【請求項６】
Ｃ型揺動板ロック部は、Ｃ型耐震引出しロック装置ケース外部のＣ型揺動板端部に位置し、Ｃ型揺動板の揺動により自在に移動できることを特徴とする請求項１記載のＣ型耐震引出しロック装置。
【請求項７】
Ｃ型揺動板は、Ｃ型揺動板基点ピンを中心に回転して、下方に降下し、引出しが飛び出す方向に取り付けられた多溝付ストッパー板に深く食い込み、ロックされることを特徴とする請求項１記載のＣ型耐震引出しロック装置。
【請求項８】
センターピン付リング走行板は、その上面をセンターピン付リングが自在に転がるように、平滑な板を水平に設置することを特徴とする請求項１記載のＣ型耐震引出しロック装置。